(57)【要約】      （修正有）【課題】給電ケーブルをケーブル収納バスケット内に収納する際に、給電ケーブルどうしが絡まるのを防止する。【解決手段】クレーン上のトロリーから吊るされた吊り具に給電ケーブル９を収納するケーブル収納バスケット１９を設置し、前記吊り具の昇降に伴って前記給電ケーブルを、前記ケーブル収納バスケット内に収納したり、あるいは前記ケーブル収納バスケットから繰り出したりするクレーンの給電装置において、前記ケーブル収納バスケット１９の真上に、給電ケーブルガイド用のローラ３４群を具備したリング状のローラブラケット２７を回転自在に設置する。【選択図】図２
2014169171.tif 000002
【特許請求の範囲】
【請求項１】
クレーン上のトロリーから吊るされた吊り具に給電ケーブルを収納するケーブル収納バスケットを設置し、前記吊り具の昇降に伴って前記給電ケーブルを、前記ケーブル収納バスケット内に収納したり、あるいは前記ケーブル収納バスケットから繰り出したりするクレーンの給電装置において、前記ケーブル収納バスケットの真上に、給電ケーブルガイド用のローラ群を具備したリング状のローラブラケットを回転自在に設置することを特徴とするクレーンの給電装置。
【請求項２】
前記ケーブル収納バスケットの真上に、給電ケーブルガイド用のローラ群を具備したリング状のローラブラケットを回転自在に設置し、前記ローラブラケットを、該ローラブラケットの外周に沿って配置した多数の支持ローラによって支持することを特徴とする請求項１記載のクレーンの給電装置。
【請求項３】
前記ケーブル収納バスケットの真上に、給電ケーブルガイド用のローラ群を具備したリング状のローラブラケットを回転自在に設置し、前記ローラブラケットのＶ字形の外周面を、該ローラブラケットの外周に沿って配置した多数の支持ローラによって支持することを特徴とする請求項１又は２記載のクレーンの給電装置。
【発明の詳細な説明】
【技術分野】
【０００１】
本発明は、コンテナクレーンやトランスファークレーン等のクレーンのように、トロリーから吊るされた吊り具に電力を供給するクレーンの給電装置に関する。
【背景技術】
【０００２】
従来、図６に示すように、ケーブル収納バスケット１を、バスケットガイド部２とバスケット収納部３より構成し、かつ、バスケットガイド部２とバスケット収納部３との間に設けたベアリング４によってバスケットガイド部２を回転可能になした考案がある（例えば、特許文献１参照。）。
【０００３】
ところで、トロリーから吊るされた吊り具に電力を供給する給電ケーブル９には、予め、ループを形成するための巻き癖が付与されており、吊り具を吊り上げてケーブル収納バスケット１内に給電ケーブル９を収納する時、給電ケーブル９が巻き癖によってループ状に回転し、あたかも蛇がとぐろを巻くようにバスケット収納部３内にループ状に収納されるようになっている。
【０００４】
しかしながら、従来のバスケットガイド部２は、図６に示すように、電気スタンドの笠のように、上部ガイドリング５と、下部リング６と、両者を繋ぐ多数の傾斜部材７とを一体化したものであり、かつ、上部ガイドリング５の直径が約３０ｃｍ、下部リング６の直径が約１〜１．２ｍ、バスケットガイド部２の高さが約１ｍもある重量物であるから、吊り具を吊り上げてケーブル収納バスケット１内に給電ケーブル９を収納する時、給電ケーブル９が上部ガイドリング５に接触してもバスケットガイド部２が給電ケーブル９の回転に追随しないことがある。
【０００５】
上記のように、バスケットガイド部２が給電ケーブル９の回転に追随しない場合は、上下方向の摩擦に対して水平方向（接線方向）の摩擦が大きくなり、給電ケーブル９が捻じれて給電ケーブル９どうしが絡み合ったり、あるいは、給電ケーブル９の中間部が上部ガイドリング５から外方にＵ字状に垂れ下がることがある（図４参照）。符号８はリフティングビームである。
【先行技術文献】
【特許文献】
【０００６】
【特許文献１】実開平１−８３７６８号公報
【発明の概要】
【発明が解決しようとする課題】
【０００７】
本発明は、給電ケーブルをケーブル収納バスケット内に収納する際に、給電ケーブルどうしが絡まったり、あるいは、給電ケーブルが上部ガイドリングから外方にＵ字状に垂れ下がることのないクレーンの給電装置を提供することにある。
【課題を解決するための手段】
【０００８】
本発明の請求項１に係る発明は、クレーン上のトロリーから吊るされた吊り具に給電ケーブルを収納するケーブル収納バスケットを設置し、前記吊り具の昇降に伴って前記給電ケーブルを、前記ケーブル収納バスケット内に収納したり、あるいは前記ケーブル収納バスケットから繰り出したりするクレーンの給電装置において、前記ケーブル収納バスケットの真上に、給電ケーブルガイド用のローラ群を具備したリング状のローラブラケットを回転自在に設置することを特徴とするものである。
【０００９】
本発明の請求項２に係る発明は、前記ケーブル収納バスケットの真上に、給電ケーブルガイド用のローラ群を具備したリング状のローラブラケットを回転自在に設置し、前記ローラブラケットを、該ローラブラケットの外周に沿って配置した多数の支持ローラによって支持することを特徴とするものである。
【００１０】
本発明の請求項３に係る発明は、前記ケーブル収納バスケットの真上に、給電ケーブルガイド用のローラ群を具備したリング状のローラブラケットを回転自在に設置し、前記ローラブラケットのＶ字形の外周面を、該ローラブラケットの外周に沿って配置した多数の支持ローラによって支持することを特徴とするものである。
【発明の効果】
【００１１】
本発明は、クレーン上のトロリーから吊るされた吊り具に給電ケーブルを収納するケーブル収納バスケットを設置し、前記吊り具の昇降に伴って前記給電ケーブルを、前記ケーブル収納バスケット内に収納したり、あるいは前記ケーブル収納バスケットから繰り出したりするクレーンの給電装置において、前記ケーブル収納バスケットの真上に、給電ケーブルガイド用のローラ群を具備したリング状のローラブラケットを回転自在に設置したので、ローラブラケットの慣性が、電気スタンドの笠のような従来のバスケットガイド部よりも小さくなり、給電ケーブルをケーブル収納バスケットに収納する際に、ローラブラケットが給電ケーブルの回転に追随して円滑に回転するようになる。
【００１２】
このため、給電ケーブルをケーブル収納バスケットに収納する際に、給電ケーブルどうしが絡まらないようになる。また、リング状のローラブラケットから給電ケーブルが外方にＵ字状に垂れ下がることも抑制される。
【図面の簡単な説明】
【００１３】
【図１】本発明に係る給電ケーブル収納バスケットを適用した吊り具の側面図である。
【図２】本発明に係る給電ケーブル収納バスケットの一部断面を含む要部拡大側面図である。
【図３】図２のＡ−Ａ断面図である。
【図４】本発明に係る給電ケーブル収納バスケットの作用説明図である。
【図５】本発明に係る給電ケーブル収納バスケットを適用したトランスファークレーンの正面図である。
【図６】従来のケーブル収納バスケットの正面図である。
【発明を実施するための形態】
【００１４】
以下、本発明の実施形態を図面を用いて説明する。
【００１５】
図５に示すように、トランスファークレーン１１は、門形に形成され、通常、その脚部１２に設けた前後左右の４組のラバータイヤ１３によって紙面を貫通する方向に走行する。なお、符号Ｙはコンテナ蔵置ゾーンを示している。
【００１６】
また、このトランスファークレーン１１は、左右の脚部１２，１２間に架橋したガーダ１４上をトロリー１５が横行するようになっている。更に、トロリー１５上のドラム（図示せず）から引き出した複数本のワイヤーロープＲによって吊り具１６を保持するようになっている。また、トロリー１５から給電ケーブル９を経て吊り具１６に電力を供給するようになっている。符号Ｃは海上輸送用のコンテナ、１０はコンテナ運搬用のシャーシを示している。
【００１７】
上記吊り具１６は、図１に示すように、ヘッドブロック１７と、ヘッドブロック１７の直下に設けたスプレッダ１８から構成されている。ヘッドブロック１７は、ケーブル収納バスケット１９を具備するとともに、その四隅に設けたシーブ２０にワイヤーロープＲを巻き掛けている。他方、スプレッダ１８は、その四隅に上下方向に回動するガイドアーム２１を備えている。
【００１８】
上記ケーブル収納バスケット１９は、上端にリング状のケーブル出入口２２を有する裁頭円錐状のバスケットガイド部２３と、バスケットガイド部２３の下部に接続された有底円筒状のバスケット収納部２４から構成されている。裁頭円錐状のバスケットガイド部２３と有底円筒状のバスケット収納部２４は、格子状に組み付けた金属製の中実丸棒２５によって一体的に構成されている。なお、バスケットガイド部２３およびバスケット収納部２４は、軽量化のために金属製のパイプで製作してもよい。
【００１９】
この発明は、図２に示すように、リング状のケーブル出入口２２の真上にリング状のローラブラケット２７を回転自在に設けることに特徴がある。リング状のローラブラケット２７は、その外周方向に所定の間隔で設けた多数の支持ローラー２８によって回転自在に支持されている。各支持ローラー２８は、上下一対のローラー２９ａ，２９ｂによって構成されている。
【００２０】
他方、上記ローラブラケット２７は、外周面がＶ字状に形成され、最大直径部である赤道部３０より上方が裁頭円錐面３１ａとなり、赤道部３０よりも下方が逆裁頭円錐面３１ｂとなっている。そして、上下一対のローラー２９ａ，２９ｂのうち、上部ローラー２９ａによってローラブラケット２９の裁頭円錐面３１ａを支持し、下部ローラー２９ｂによってローラブラケット２９の逆裁頭円錐面３１ｂを支持するようになっている。
【００２１】
上下一対のローラー２９ａ，２９ｂは、ローラー支持部材３２に回転自在に設けられている。また、ローラー支持部材３２は、板又は棒状の支持体３３を介してバスケットガイド部２３に取り付けられている。
【００２２】
リング状のローラブラケット２７は、図３に示すように、その上面に給電ケーブルをガイドするための多数のガイドローラ３４をリング状に設置している。その際、隣接するガイドローラ３４，３４の間の隙間は、給電ケーブル９が食い込まない程度とすることが好ましい。また、ガイドローラ３４は、一対のローラ３４ａ，３４ｂによって構成されている。
【００２３】
また、図２に示すように、リング状のローラブラケット２７の上方に、リング状のローラブラケット２７よりも大径の上部リング（「補助ガイド」とも言う。）３６を設けている。この上部リング３６は、ステイ３７によって上記支持体３３に取り付けられている。
更に、ガイドローラ３４を支持している支持部材３８は、その最外端がボルト３９によってローラブラケット２７に装着されているが、ボルト３９の頭と支持部材３８の底板との間に隙間を設けているため、異常時にガイドローラ３４が矢印方向に起き上がって上部リング３６に接触するようになっている。
【００２４】
上記のように、トロリー１５から吊るされた吊り具１６に電力を供給する給電ケーブル９は、吊り具１６に設置したケーブル収納バスケット１９内に、あたかも蛇がとぐろを巻くようにループ状に収納されている。
【００２５】
しかして、トロリー１５から吊り具１６を吊り下ろすときは、給電ケーブル９がらせん状に回転しながらケーブル収納バスケット１９から引き出される。他方、トロリー１５に向かって吊り具１６を吊り上げるときは、給電ケーブル９がらせん状に回転しながらケーブル収納バスケット１９にループ状に収納される。
【００２６】
ところで、本発明のローラブラケット２７は、リング状であり、電気スタンドの笠のような従来のバスケットガイド部２に比較して著しく軽量であるから、吊り具１６を吊り上げて給電ケーブル９をケーブル収納バスケット１９に収納するときに、給電ケーブル９がらせん状に回転してローラブラケット２７上のガイドローラ３４に接触すると、図３に示すように、ローラブラケット２７が矢印Ｒの方向に円滑に回転する。
【００２７】
このため、給電ケーブル９が、予め、付与されていた巻き癖以上に捻じれることがなく、ケーブル収納バスケット１９内にループ状に収納される。
【００２８】
また、突風などにより、給電ケーブル９の中間部がローラブラケット２７から外方にＵ字状に飛び出すような場合には、ローラブラケット２７の上方に設けた上部リング３６がブレーキのように作用して給電ケーブル９の流出が阻止される。その際、ガイドローラ３４の支持部材３８が矢印方向に回動してガイドローラ３４が上部リング３６に接触し、ガイドローラ３４の回転が阻止される。
【００２９】
以上の説明では、リング状のローラブラケット２７を具備したケーブル収納バスケット１９をトランスファークレーン１１に適用した場合について説明したが、トランスファークレーン１１に限らず、例えば、コンテナクレーン等に適用することもできる。
【符号の説明】
【００３０】
９給電ケーブル
１１クレーン
１５トロリー
１６吊り具
１９ケーブル収納バスケット
２７ローラブラケット
３４給電ケーブルガイド用のローラ
【図１】
2014169171.tif 000003
【図２】
2014169171.tif 000004
【図３】
2014169171.tif 000005
【図４】
2014169171.tif 000006
【図５】
2014169171.tif 000007
【図６】
2014169171.tif 000008